(57)【要約】  希望どおりの花壇を自由に設計し、簡便な手続きで、設計した花壇を発注することができる花壇受発注システムを提供する。  本発明は、ユーザ端末と、ユーザ端末と通信が可能なサーバ装置とを備える花壇受発注システムであって、花壇を構成する複数の領域について、領域ごとに、異なる色及び／又は異なる種類の植物の配置を特定する配置特定手段を備え、ユーザ端末が、ユーザの操作により配置特定手段により特定された配置を有する花壇の発注要求を送信する発注要求送信手段を備え、サーバ装置が、花壇の発注要求を受信する発注要求受信手段を備える、花壇受発注システムに関する。
2018008182.tif 000002
【特許請求の範囲】
【請求項１】
ユーザ端末と、ユーザ端末と通信が可能なサーバ装置とを備える花壇受発注システムであって、
花壇を構成する複数の領域について、領域ごとに、異なる色及び／又は異なる種類の植物の配置を特定する配置特定手段
を備え、
ユーザ端末が、
ユーザの操作により配置特定手段により特定された配置を有する花壇の発注要求を送信する発注要求送信手段
を備え、
サーバ装置が、
花壇の発注要求を受信する発注要求受信手段
を備える、花壇受発注システム。
【請求項２】
ユーザ端末が、
ユーザの操作指示により領域ごとに配置する色及び／又は植物の選択を受け付ける植物選択手段を備え、
配置特定手段が、植物選択手段により受け付けられた色及び／又は植物に応じて、領域ごとの色及び／又は植物の配置を特定する、請求項１に記載の花壇受発注システム。
【請求項３】
植物選択手段が、植物の植付け時及び／又は観賞時に応じて、選択の受け付けが可能な植物が変更されるものである、請求項２に記載の花壇受発注システム。
【請求項４】
ユーザ端末が、
花壇の形状及び大きさの選択を受け付ける形状選択手段を備え、
配置特定手段が、形状選択手段により選択された形状及び大きさを有する花壇を構成する複数の領域について、異なる色及び／又は異なる種類の植物の配置を特定する、請求項１〜３のいずれかに記載の花壇受発注システム。
【請求項５】
ユーザ端末と通信が可能なサーバ装置に実行させるための花壇受発注プログラムであって、
サーバ装置を、
花壇を構成する複数の領域について、領域ごとに、異なる色及び／又は異なる種類の植物の配置を特定する配置特定手段、
ユーザ端末から花壇の発注要求を受信する発注要求受信手段
として機能させる、花壇受発注プログラム。
【請求項６】
サーバ装置と通信が可能なユーザ端末に実行させるための花壇受発注プログラムであって、
ユーザ端末を、
花壇を構成する複数の領域について、領域ごとに、異なる色及び／又は異なる種類の植物の配置を特定する配置特定手段、
ユーザの操作により配置特定手段により特定された配置を有する花壇の発注要求をサーバ装置へ送信する発注要求送信手段
として機能させる、花壇受発注プログラム。
【請求項７】
ユーザ端末と、ユーザ端末と通信が可能なサーバ装置とを備える花壇受発注システムにおいて実行される花壇受発注方法であって、
ユーザ端末又はサーバ装置において、花壇を構成する複数の領域について、領域ごとに、異なる色及び／又は異なる種類の植物の配置を特定するステップと、
ユーザ端末において、ユーザの操作により特定された配置を有する花壇の発注要求を送信するステップと、
サーバ装置において、花壇の発注要求を受信するステップと
を有する、花壇受発注方法。
【請求項８】
花壇内の配植計画の支援をコンピュータ装置に実行させるための配植計画支援プログラムであって、
コンピュータ装置を、
花壇を構成する複数の領域について、領域ごとに、異なる色及び／又は異なる種類の植物の配置を特定する配置特定手段、
各植物に対応する表示データを記憶する表示データ記憶手段、
表示データ記憶手段に記憶された表示データをもとに、各領域の位置、及び、各領域に配置された植物に応じて、花壇の状態を示す画像を描画する描画手段
として機能させるものであり、
描画手段が、花壇に対して異なる方向及び／又は角度から視た場合の画像を描画することが可能な、配植計画支援プログラム。
【請求項９】
花壇内の配植計画の支援をコンピュータ装置に実行させるための配植計画支援プログラムであって、
コンピュータ装置を、
花壇を構成する複数の領域について、領域ごとに、異なる色及び／又は異なる種類の植物の配置を特定する配置特定手段、
各植物について、植物の植付け時からの経過時間に応じた複数の表示データを記憶する表示データ記憶手段、
表示データ記憶手段に記憶された表示データをもとに、各領域の位置、及び、各領域に配置された植物に応じて、植物の植付け時からの経過時間ごとの花壇の状態を示す画像を描画する描画手段
として機能させる、配植計画支援プログラム。
【請求項１０】
描画手段により描画される画像が、仮想３次元空間内の花壇の状態を、２次元画像に変換したものである、請求項８又は９に記載の配植計画支援プログラム。
【請求項１１】
コンピュータ装置を、
ユーザの操作指示により領域ごとに配置する植物の選択を受け付ける植物選択手段
として機能させ、
配置特定手段が、植物選択手段により受け付けられた植物に応じて、領域ごとの植物の配置を特定するものであり、
植物選択手段が、植物の植付け時及び／又は観賞時に応じて、選択を受け付けられる植物が変更されるものである、請求項８〜１０のいずれかに記載の配植計画支援プログラム。
【請求項１２】
コンピュータ装置を、
ユーザの操作指示による発注要求を受け付ける発注要求受付手段、
発注要求を受け付けると、配置特定手段により特定された植物の配置による花壇の受注を確定させる受注確定手段
として機能させる、請求項８〜１１のいずれかに記載の配植計画支援プログラム。
【請求項１３】
花壇内の配植計画の支援を実行するための配植計画支援装置であって、
花壇を構成する複数の領域について、領域ごとに、異なる色及び／又は異なる種類の植物の配置を特定する配置特定手段と、
各植物に対応する表示データを記憶する表示データ記憶手段と、
表示データ記憶手段に記憶された表示データをもとに、各領域の位置、及び、各領域に配置された植物に応じて、花壇の状態を示す画像を描画する描画手段と
を備え、
描画手段が、花壇に対して異なる方向及び／又は角度から視た場合の画像を描画することが可能な、配植計画支援装置。
【請求項１４】
花壇内の配植計画の支援を実行するための配植計画支援装置であって、
花壇を構成する複数の領域について、領域ごとに、異なる色及び／又は異なる種類の植物の配置を特定する配置特定手段と、
各植物について、植物の植付け時からの経過時間に応じた複数の表示データを記憶する表示データ記憶手段と、
表示データ記憶手段に記憶された表示データをもとに、各領域の位置、及び、各領域に配置された植物に応じて、植物の植付け時からの経過時間ごとの花壇の状態を示す画像を描画する描画手段と
を備える、配植計画支援装置。
【請求項１５】
花壇内の配植計画の支援をコンピュータ装置において実行される配植計画支援方法であって、
花壇を構成する複数の領域について、領域ごとに、異なる色及び／又は異なる種類の植物の配置を特定するステップと、
記憶手段に記憶された各植物に対応する表示データをもとに、各領域の位置、及び、各領域に配置された植物に応じて、花壇の状態を示す画像を描画するステップと
を有し、
描画するステップが、花壇に対して異なる方向及び／又は角度から視た場合の画像を描画することが可能なものである、配植計画支援方法。
【請求項１６】
花壇内の配植計画の支援をコンピュータ装置において実行される配植計画支援方法であって、
花壇を構成する複数の領域について、領域ごとに、異なる色及び／又は異なる種類の植物の配置を特定する配置するステップと、
記憶手段に記憶された、各植物についての植物の植付け時からの経過時間に応じた複数の表示データをもとに、各領域の位置、及び、各領域に配置された植物に応じて、植物の植付け時からの経過時間ごとの花壇の状態を示す画像を描画するステップと
を有する、配植計画支援方法。
【請求項１７】
表示装置を備える植物表示システムであって、
仮想空間の状態に関する情報を記憶する仮想空間記憶手段と、
植物の状態に関する情報を記憶する植物情報記憶手段と、
表示装置の位置及び／又は向きに応じて、表示装置に表示する仮想空間及び植物の画像を生成する画像生成手段と、
生成した画像を表示装置に表示する画像表示手段と
を備える、植物表示システム。
【請求項１８】
ユーザ端末と、ユーザ端末と通信が可能なサーバ装置とを備える植物表示システムであって、
植物の状態に関する情報と当該情報と関連付けられたマーカに関する情報とを記憶する記憶手段と、
マーカと背景とを撮像する撮像手段と、
マーカを識別する識別手段と、
識別したマーカから植物を特定する植物特定手段と、
特定された植物の画像を生成する画像生成手段と、
生成した画像を撮像した背景とともに表示する画像表示手段と
を備える、植物表示システム。
【発明の詳細な説明】
【技術分野】
【０００１】
本発明は、花壇受発注システム及び配植計画支援プログラムに関する。
【背景技術】
【０００２】
近年、庭やベランダなどで園芸を楽しむ、いわゆるガーデニングは、一般的な趣味として広く認知されるようになっており、希望どおりの花壇を自由に設計し、簡便な手続きで、設計した花壇を購入したいというニーズがある。【０００３】
また、望み通りの花壇等を作製するために必要な植物の種類やその数を知ることは、ガーデニングについて相当の知識がないと困難であり、このことが、ガーデニング未経験者が実際にガーデニングに挑戦する際の障壁となっていた。【０００４】
また、花壇等への配植を計画する段階においてその完成形を正確に予想することは難しく、実際に配植をして花壇等を完成させた後に、望んでいた花壇等とは違うという状況が起こりやすいという問題があった。【０００５】
上記のような問題を解決するため、例えば、特許文献１には、情報端末を用いて花壇の設計・施工支援を行うシステムが提案されている。特許文献１のシステムは、データベースに記憶されているデータを参照して、花壇の形状と花壇内の配色を決定する花壇設計手段と、設計された花壇の条件を設定する条件設定手段と、設計された花壇を施工するのに必要な材料を選択して花壇の施工プランを作成する施工支援手段とを備えたものであり、花壇設計手段によって決定された花壇の３次元模式図を、斜視図としてユーザ端末に表示することが開示されている。
【先行技術文献】
【特許文献】
【０００６】
【特許文献１】特開２００２−１１７２４３号公報
【発明の概要】
【発明が解決しようとする課題】
【０００７】
上で述べたように、希望する大きさ、形状、模様等を有する花壇を自由に設計し、簡便な手続きで、設計した花壇を購入したいというニーズがあるが、これまでのところ、花壇の設計と受発注を簡便に行うことのできるシステムは存在しない。【０００８】
ところで、花壇から受ける印象は、花壇を見る方向や高さによって大きく異なることがある。しかし、特許文献１に開示されているシステムでは、花壇の完成予想図を表す３次元模式図を一定の方向及び角度からしか見ることができないため、その施工プランに基づいて作製される花壇が、本当にユーザの望んだ通りの花壇であるとは限らなかった。【０００９】
また、植物の開花時期などは植物の種類によって様々であるため、花壇から受ける印象も時期によって大きく異なってくるが、特許文献１のシステムは、花壇の３次元模式図を時期ごとに表示できるものではなかった。そのため、時期ごとに変化をもたせた花壇の作製を支援することができないという問題があった。【００１０】
本発明は、上記のような課題を解決するためになされたものである。すなわち、本発明の第一の課題は、希望どおりの花壇を自由に設計し、簡便な手続きで、設計した花壇を発注することができる花壇受発注システムを提供することである。【００１１】
本発明の第二の課題は、花壇の完成予想図を、異なる方向及び／又は角度を有する複数の視点から見ることが可能な配植計画支援プログラムを提供することである。【００１２】
本発明の第三の課題は、植物の植付け時からの経過時間ごとの花壇の状態をユーザに提示することが可能な配植計画支援プログラムを提供することである。
【課題を解決するための手段】
【００１３】
本発明の要旨は、以下の通りである。【００１４】
［１］ユーザ端末と、ユーザ端末と通信が可能なサーバ装置とを備える花壇受発注システムであって、花壇を構成する複数の領域について、領域ごとに、異なる色及び／又は異なる種類の植物の配置を特定する配置特定手段を備え、ユーザ端末が、ユーザの操作により配置特定手段により特定された配置を有する花壇の発注要求を送信する発注要求送信手段を備え、サーバ装置が、花壇の発注要求を受信する発注要求受信手段を備える、花壇受発注システム。【００１５】
［２］ユーザ端末が、ユーザの操作指示により領域ごとに配置する色及び／又は植物の選択を受け付ける植物選択手段を備え、配置特定手段が、植物選択手段により受け付けられた色及び／又は植物に応じて、領域ごとの色及び／又は植物の配置を特定する、［１］に記載の花壇受発注システム。【００１６】
［３］植物選択手段が、植物の植付け時及び／又は観賞時に応じて、選択の受け付けが可能な植物が変更されるものである、［２］に記載の花壇受発注システム。【００１７】
［４］ユーザ端末が、花壇の形状及び大きさの選択を受け付ける形状選択手段を備え、配置特定手段が、形状選択手段により選択された形状及び大きさを有する花壇を構成する複数の領域について、異なる色及び／又は異なる種類の植物の配置を特定する、［１］〜［３］のいずれかに記載の花壇受発注システム。【００１８】
［５］ユーザ端末と通信が可能なサーバ装置に実行させるための花壇受発注プログラムであって、サーバ装置を、花壇を構成する複数の領域について、領域ごとに、異なる色及び／又は異なる種類の植物の配置を特定する配置特定手段、ユーザ端末から花壇の発注要求を受信する発注要求受信手段として機能させる、花壇受発注プログラム。【００１９】
［６］サーバ装置と通信が可能なユーザ端末に実行させるための花壇受発注プログラムであって、ユーザ端末を、花壇を構成する複数の領域について、領域ごとに、異なる色及び／又は異なる種類の植物の配置を特定する配置特定手段、ユーザの操作により配置特定手段により特定された配置を有する花壇の発注要求をサーバ装置へ送信する発注要求送信手段として機能させる、花壇受発注プログラム。【００２０】
［７］ユーザ端末と、ユーザ端末と通信が可能なサーバ装置とを備える花壇受発注システムにおいて実行される花壇受発注方法であって、ユーザ端末又はサーバ装置において、花壇を構成する複数の領域について、領域ごとに、異なる色及び／又は異なる種類の植物の配置を特定するステップと、ユーザ端末において、ユーザの操作により特定された配置を有する花壇の発注要求を送信するステップと、サーバ装置において、花壇の発注要求を受信するステップとを有する、花壇受発注方法。【００２１】
［８］花壇内の配植計画の支援をコンピュータ装置に実行させるための配植計画支援プログラムであって、コンピュータ装置を、花壇を構成する複数の領域について、領域ごとに、異なる色及び／又は異なる種類の植物の配置を特定する配置特定手段、各植物に対応する表示データを記憶する表示データ記憶手段、表示データ記憶手段に記憶された表示データをもとに、各領域の位置、及び、各領域に配置された植物に応じて、花壇の状態を示す画像を描画する描画手段として機能させるものであり、描画手段が、花壇に対して異なる方向及び／又は角度から視た場合の画像を描画することが可能な、配植計画支援プログラム。【００２２】
［９］花壇内の配植計画の支援をコンピュータ装置に実行させるための配植計画支援プログラムであって、コンピュータ装置を、花壇を構成する複数の領域について、領域ごとに、異なる色及び／又は異なる種類の植物の配置を特定する配置特定手段、各植物について、植物の植付け時からの経過時間に応じた複数の表示データを記憶する表示データ記憶手段、表示データ記憶手段に記憶された表示データをもとに、各領域の位置、及び、各領域に配置された植物に応じて、植物の植付け時からの経過時間ごとの花壇の状態を示す画像を描画する描画手段として機能させる、配植計画支援プログラム。【００２３】
［１０］描画手段により描画される画像が、仮想３次元空間内の花壇の状態を、２次元画像に変換したものである、［８］又は［９］に記載の配植計画支援プログラム。【００２４】
［１１］コンピュータ装置を、ユーザの操作指示により領域ごとに配置する植物の選択を受け付ける植物選択手段として機能させ、配置特定手段が、植物選択手段により受け付けられた植物に応じて、領域ごとの植物の配置を特定するものであり、植物選択手段が、植物の植付け時及び／又は観賞時に応じて、選択を受け付けられる植物が変更されるものである、［８］〜［１０］のいずれかに記載の配植計画支援プログラム。【００２５】
［１２］コンピュータ装置を、ユーザの操作指示による発注要求を受け付ける発注要求受付手段、発注要求を受け付けると、配置特定手段により特定された植物の配置による花壇の受注を確定させる受注確定手段として機能させる、［８］〜［１１］のいずれかに記載の配植計画支援プログラム。【００２６】
［１３］花壇内の配植計画の支援を実行するための配植計画支援装置であって、花壇を構成する複数の領域について、領域ごとに、異なる色及び／又は異なる種類の植物の配置を特定する配置特定手段と、各植物に対応する表示データを記憶する表示データ記憶手段と、表示データ記憶手段に記憶された表示データをもとに、各領域の位置、及び、各領域に配置された植物に応じて、花壇の状態を示す画像を描画する描画手段とを備え、描画手段が、花壇に対して異なる方向及び／又は角度から視た場合の画像を描画することが可能な、配植計画支援装置。【００２７】
［１４］花壇内の配植計画の支援を実行するための配植計画支援装置であって、花壇を構成する複数の領域について、領域ごとに、異なる色及び／又は異なる種類の植物の配置を特定する配置特定手段と、各植物について、植物の植付け時からの経過時間に応じた複数の表示データを記憶する表示データ記憶手段と、表示データ記憶手段に記憶された表示データをもとに、各領域の位置、及び、各領域に配置された植物に応じて、植物の植付け時からの経過時間ごとの花壇の状態を示す画像を描画する描画手段とを備える、配植計画支援装置。【００２８】
［１５］花壇内の配植計画の支援をコンピュータ装置において実行される配植計画支援方法であって、花壇を構成する複数の領域について、領域ごとに、異なる色及び／又は異なる種類の植物の配置を特定するステップと、記憶手段に記憶された各植物に対応する表示データをもとに、各領域の位置、及び、各領域に配置された植物に応じて、花壇の状態を示す画像を描画するステップとを有し、描画するステップが、花壇に対して異なる方向及び／又は角度から視た場合の画像を描画することが可能なものである、配植計画支援方法。【００２９】
［１６］花壇内の配植計画の支援をコンピュータ装置において実行される配植計画支援方法であって、花壇を構成する複数の領域について、領域ごとに、異なる色及び／又は異なる種類の植物の配置を特定する配置するステップと、記憶手段に記憶された、各植物についての植物の植付け時からの経過時間に応じた複数の表示データをもとに、各領域の位置、及び、各領域に配置された植物に応じて、植物の植付け時からの経過時間ごとの花壇の状態を示す画像を描画するステップとを有する、配植計画支援方法。【００３０】
［１７］表示装置を備える植物表示システムであって、仮想空間の状態に関する情報を記憶する仮想空間記憶手段と、植物の状態に関する情報を記憶する植物情報記憶手段と、表示装置の位置及び／又は向きに応じて、表示装置に表示する仮想空間及び植物の画像を生成する画像生成手段と、生成した画像を表示装置に表示する画像表示手段とを備える、植物表示システム。【００３１】
［１８］ユーザ端末と、ユーザ端末と通信が可能なサーバ装置とを備える植物表示システムであって、植物の状態に関する情報と当該情報と関連付けられたマーカに関する情報とを記憶する記憶手段と、マーカと背景とを撮像する撮像手段と、マーカを識別する識別手段と、識別したマーカから植物を特定する植物特定手段と、特定された植物の画像を生成する画像生成手段と、生成した画像を撮像した背景とともに表示する画像表示手段とを備える、植物表示システム。
【発明の効果】
【００３２】
上記［１］に記載の発明は、花壇における異なる色、種類の植物の配置を特定して花壇を設計することができる配置特定手段と、ユーザ端末にて設計した花壇の発注要求を送信し、サーバ装置にて発注要求を受信する発注要求送受信手段とを備えている。すなわち
上記［１］に記載の発明によれば、ユーザの設計した花壇を発注することが可能になる。【００３３】
上記［８］に記載の発明は、花壇の完成予想図である花壇の状態を示す画像を、花壇に対して異なる方向及び／又は角度から描画することが可能な描画手段を備えている。すなわち、上記［８］に記載の発明よれば、ユーザの計画する花壇の完成予想図を複数の視点から見ることができるため、実際に作製された花壇がユーザのイメージとは異なるという状況が起こりにくく、ユーザのイメージに近い花壇を作製することが可能になる。【００３４】
上記［９］に記載の発明は、植物の植付け時からの経過時間ごとの花壇の状態を示す画像を描画する描画手段を備えている。すなわち、上記［９］に記載の発明によれば、実際に花壇を作製する前に、植物の植付け時からの経過時間ごとの花壇の状態を予測することができるため、ユーザは、時期に応じて変化する花壇の様子を知ることができ、年間を通して魅力のある花壇の作製を行うことが可能になる。
【図面の簡単な説明】
【００３５】
【図１】本発明の実施の形態の少なくとも１つに対応する、花壇受発注システムの構成を示す図である。
【図２】本発明の実施の形態の少なくとも１つに対応する、ユーザ端末の構成を示すブロック図である。
【図３】本発明の実施の形態の少なくとも１つに対応する、サーバ装置の構成を示すブロック図である。
【図４】本発明の実施の形態の少なくとも１つに対応する、植物データテーブルの一例を示す図である。
【図５】本発明の実施の形態の少なくとも１つに対応する、花壇受発注処理のフローチャートの一例を示す図である。
【図６】本発明の実施の形態の少なくとも１つに対応する、花壇の形状及び面積に関する情報を入力するための入力画面の一例を示す模式図である。
【図７】本発明の実施の形態の少なくとも１つに対応する、花壇の形状を構成する各領域の色を入力するための入力画面の一例を示す模式図である。
【図８】本発明の実施の形態の少なくとも１つに対応する、花壇の形状を構成する各領域に配植する植物の種類を入力するための入力画面の一例を示す模式図である。
【図９】本発明の実施の形態の少なくとも１つに対応する、視点変更指示及び／又は時期変更指示を入力するための入力画面の一例を示す模式図である。
【図１０】本発明の実施の形態の少なくとも１つに対応する、ＶＲ植物表示処理のフローチャートの一例を示す図である。
【図１１】本発明の実施の形態の少なくとも１つに対応する、マーカ生成処理のフローチャートの一例を示す図である。
【図１２】本発明の実施の形態の少なくとも１つに対応する、ＡＲ植物表示処理のフローチャートの一例を示す図である。
【発明を実施するための形態】
【００３６】
以下、添付図面を参照して、本発明の実施の形態について説明をする。以下、効果に関する記載は、本発明の実施の形態の効果の一側面であり、ここに記載するものに限定されない。また、以下で説明するフローチャートを構成する各処理の順序は、処理内容に矛盾や不整合が生じない範囲で順不同である。
【００３７】
（第一の実施の形態）
図１は、本発明の実施の形態の少なくとも１つに対応する、花壇受発注システムの構成を示す図である。図示するように、本実施の形態に係る花壇受発注システムは、複数のユーザ端末１（ユーザ端末１ａ、１ｂ、１ｃ・・・）と、通信ネットワーク２と、サーバ装置３とから構成される。
【００３８】
ユーザ端末１は、ユーザが、花壇の面積及び形状の選択や、花壇に植える植物の種類及び配置の選択などを行うための端末である。ユーザ端末１としては、例えば、パーソナルコンピュータ、スマートフォン、タブレット端末、携帯電話、ＰＤＡ等が挙げられるが、これに限定されない。ユーザ端末１は、通信ネットワーク２を介してサーバ装置３と接続可能な装置であれば良い。
【００３９】
通信ネットワーク２は、例えば、インターネット、有線又は無線の公衆電話網、有線又は無線ＬＡＮ、専用回線等、有線又は無線の公知の各種の通信ネットワークを用いることができる。
【００４０】
サーバ装置３は、ユーザ端末１との間で情報を送受信したり、ユーザ端末１との通信履歴を記憶して分析したりするための管理・運営用サーバである。
【００４１】
図２は、本発明の実施の形態の少なくとも１つに対応する、ユーザ端末の構成を示すブロック図である。図示するようにユーザ端末１は、制御部１１、ＲＡＭ１２、表示部１３、記憶装置１４、センサ部１５及び通信インタフェース１６等を具備しており、通信インタフェース１６により通信ネットワーク２と接続が可能である。
【００４２】
制御部１１は、記憶装置１４等の記憶装置に格納されたプログラムやデータを参照し、実行する。ＲＡＭ１２は、制御部１１のワークエリアである。表示部１３に備えられたタッチパネル１３ｂに対するユーザによる操作、及びセンサ部１５が検知した情報は、入力情報としてＲＡＭ１２に格納され、制御部１１は入力情報をもとに各種の演算処理を実行する。
【００４３】
表示部１３は、花壇の面積及び形状の選択や、花壇に植える植物の種類及び配置の選択などの配植計画をユーザが行うために必要な情報や、ユーザの選択によって特定される花壇の状態などを示す画像を表示する表示画面１３ａを有する。また、表示部１３は、指やスタイラス等による押圧や、パネル上における指等の位の移動を検知し、その座標位置の変化等を検出するタッチパネル１３ｂを有する。なお、表示画面１３ａとタッチパネル１３ｂとは、一体的に構成されていてもよい。
【００４４】
記憶装置１４は、プログラムやデータを保存するための記憶領域として用いられるものであり、サーバ装置から受信したデータを記憶することができる。
【００４５】
センサ部１５は、ＧＰＳセンサを備えている。また、その他の各種センサを備えていてもよく、各種センサとしては、例えば、指紋認証センサ、近接センサ、加速度センサ、ジャイロセンサ、磁力センサ、輝度センサ、又は、気圧センサ等が挙げられる。
【００４６】
図３は、本発明の実施の形態の少なくとも１つに対応する、サーバ装置の構成を示すブロック図である。図示するようにサーバ装置３は、制御部３１、ＲＡＭ３２、記憶装置３３、及び通信インタフェース３４等を具備しており、通信インタフェース３４により通信ネットワーク２と接続が可能である。
【００４７】
制御部３１は、記憶装置３３に格納されたプログラムやデータを参照し、実行する。ＲＡＭ３２は、制御部３１のワークエリアである。記憶装置３３には、ユーザ端末１において入力されたデータであって、通信インタフェース３４を経由して受信したデータ等が記憶される。
【００４８】
次に、ユーザ端末１の機能について説明をする。ユーザ端末１は、花壇形状入力機能、植付時期入力機能、植物配置入力機能、配植計画送信機能、花壇状態画像受信機能、視点変更指示機能、時期変更指示機能、変更指示送信機能、種苗数受信機能、及び発注要求送信機能を有する。
【００４９】
花壇形状入力機能は、ユーザが希望する花壇の形状及び面積に関する情報を入力する機能を有する。花壇の形状に関する情報の入力は、例えば、表示画面１３ａに複数の正方形からなるマス目を表示し、マス目をタップする等の操作によって、表示画面１３ａ上においてユーザの希望する花壇の形状を作製させることで行われる。また、花壇の面積に関する情報の入力は、例えば、マス目を形成する正方形の一辺の長さに対応する実際の長さをユーザに入力させることで行われる。
【００５０】
植付時期入力機能は、ユーザが希望する植物の植え付け時期及び／又は鑑賞時期に関する情報を入力する機能を有する。植え付け時期等の入力は、例えば、表示画面１３ａに、１年間をバー表示にて表示させ、バー上をスワイプする等の操作によって行われる。なお、植物の植え付け時期や開花時期は地域によって多少の前後があるため、植付時期入力機能は、さらに、花壇を作製する地域に関する情報を入力する機能を備えていることが好ましい。なお、花壇を作製する地域に関する情報は、センサ部１５に備えられたＧＰＳセンサによって検出されるユーザ端末１の現在位置や、予め登録されたユーザの住所を花壇作製地域とすることで、入力を省略するように構成してもよい。
【００５１】
植物配置入力機能は、花壇における植物の配置及びその種類を、花壇を構成する領域ごとに、入力する機能を有する。植物の配置及びその種類の入力は、例えば、表示画面１３ａに表示された花壇を構成する複数のマス目について、各マス目ごとに、ユーザの希望する色及び植物を選択させることで行われる。例えば、色の選択入力は、ユーザが表示画面１３ａ上における花壇を構成するマス目をタップする等の操作をした場合に、複数の色からなるカラーパレットをポップアップ表示し、カラーパレットに表示された色の中から、タップしたマス目に対して希望する色をユーザに選択させることで行われる。また、植物の種類の入力は、ユーザが選択した色に対応する植物に関する情報を表示画面１３ａに表示し、表示された植物の中から、希望する植物をユーザに選択させることで行われる。上述した植付時期入力機能によって植物の植え付け時期などが選択されている場合は、ユーザが選択した色に対応し、かつ、ユーザが選択した植え付け時期などに対応する植物に関する情報のみを表示画面１３ａに表示する。なお、ユーザの希望する色及び植物の入力は、複数のマス目に対して、一括して行えるものであっても良い。
【００５２】
配植計画送信機能は、ユーザによって入力された配植計画に関する情報を、通信インタフェース１６を介してサーバ装置３に送信する機能を有する。なお、本明細書において、「配植計画」とは、少なくとも、花壇の形状及び面積、並びに、花壇における植物の配置及びその種類から構成される、ユーザの花壇作製計画のことをいう。
【００５３】
花壇状態画像受信機能は、ユーザの配植計画に基づいてサーバ装置３によって作製される花壇の状態を示す画像を、通信インタフェース１６を介してサーバ装置３から受信する機能を有する。受信した花壇の状態を示す画像は、表示画面１３ａに表示される。なお、本明細書において、「花壇の状態を示す画像」とは、ユーザの配植計画に基づいて花壇を作製した場合の完成予想図のことをいう。
【００５４】
視点変更指示機能は、サーバ装置３から受信した花壇の状態を示す画像を、異なる方向及び／又は角度から視た場合の画像に変更する指示を入力する機能を有する。視点変更指示の入力は、例えば、表示画面１３ａに、所定の方向及び／又は角度に対応付けられたボタンを表示し、ユーザが希望する方向及び／又は角度に対応するボタンをタップする等の操作によって行われる。
【００５５】
時期変更指示機能は、サーバ装置３から受信した花壇の状態を示す画像を、特定の時期における花壇の状態を示す画像に変更する指示を入力する機能を有する。時期変更指示の入力は、例えば、表示画面１３ａに、１年間をバー表示にて表示させ、バー上をスワイプする等の操作によって行われる。
【００５６】
変更指示送信機能は、ユーザによって入力された視点変更指示及び／又は時期変更指示に関する情報を、通信インタフェース１６を介してサーバ装置３に送信する機能を有する。
【００５７】
種苗数受信機能は、ユーザの配植計画に基づいて花壇を作製した場合に必要となる植物の種及び／又は苗の数に関する情報を、通信インタフェース１６を介してサーバ装置３から受信する機能を有する。なお、種苗数受信機能は、さらに、花壇を構成する各領域内における植物を植える間隔、及び見積金額に関する情報を、通信インタフェース１６を介してサーバ装置３から受信する機能を有していても良い。
【００５８】
発注要求送信機能は、ユーザの配植計画に基づいて花壇を作製する際に必要となる植物の種及び／又は苗に関する発注要求を、通信インタフェース１６を介してサーバ装置３に送信する機能を有する。
【００５９】
次に、サーバ装置３の機能について説明をする。サーバ装置３は、配植計画受信機能、植物配置特定機能、表示データ記憶機能、花壇状態描画機能、花壇状態画像送信機能、変更指示受信機能、種苗数算出機能、種苗数送信機能、発注要求受信機能、及び受注確定機能を有する。
【００６０】
配植計画受信機能は、ユーザによって入力された配植計画に関する情報を、通信インタフェース１６を介してユーザ端末１から受信し、記憶装置３３に記憶する機能を有する。
【００６１】
植物配置特定機能は、配植計画受信機能によって受信したユーザの配植計画に基づいて、花壇を構成する複数の領域について、領域ごとに、異なる色及び／又は異なる種類の植物の配置を特定する機能を有する。
【００６２】
表示データ記憶機能は、ガーデニングに用いられる植物に関する表示データを記憶する機能を有する。表示データ記憶機能に記憶される表示データとしては、例えば、複数のポリゴンによって構成されるグラフィックデータが好ましい。また、表示データとしては、異なる色及び／又は異なる種類の植物ごとに、入力可能な花壇に対する方向や角度に対応した、複数の異なる方向又は角度から植物を視た写真データであっても良い。
【００６３】
花壇状態描画機能は、植物配置特定機能によって特定される花壇の状態を示す画像を、表示データ記憶機能に記憶された表示データをもとに、花壇における各領域の配置、及び、各領域に配置された植物に応じて、描画する機能を有する。
【００６４】
描画される画像は、仮想３次元空間内の花壇の状態を仮想スクリーンで透視変換することで得られる、２次元画像であることが好ましい。仮想３次元空間内には、配植された植物についてのオブジェクトが設けられており、仮想カメラの位置を変更することで、異なる角度から視た花壇の状態を、２次元画像として表示することが可能となる。
【００６５】
なお、仮想カメラの位置に応じて、仮想スクリーンの位置が決定され、仮想スクリーン上に投影された画像が２次元画像として表示される。透視変換により仮想スクリーン上に投影した画像を生成する場合には、前面に他の物体があって隠されてしまう面を消去する隠面消去が行われる。隠面消去の方法としては、例えば、Ｚバッファ法を用いることができる。
【００６６】
仮想３次元空間内のグラフィックデータは、例えば、複数のポリゴンによって構成されていてもよい。仮想３次元空間に配植された植物オブジェクトのそれぞれは、植物の形状を表現できるように配置された複数のポリゴンによって構成されている。これらのポリゴンは、ローカル座標系で各頂点の座標を特定することにより、定義される。
【００６７】
植物配置特定機能により、花壇を構成する複数の領域ごとに、異なる色及び／又は異なる種類の植物の配置が特定されると、仮想空間内における各領域に、特定された植物についての植物オブジェクトが配置される。これらの配置された植物オブジェクト（例えば、花壇の中心）が、仮想カメラの焦点となる。ユーザにより花壇に対する方向や角度の変更が入力されると、仮想カメラの焦点の位置は固定されたまま、仮想カメラの位置だけが変更され、花壇に対して、異なる方向や角度から視た画像を取得することができる。この場合、花壇に対する方向や角度は、連続的に変更できるようにしてもよく、不連続で段階的に変更できるようにしてもよい。
【００６８】
また、植物の植付け時からの経過時間に応じて、表示画面に表示される花壇の状態を変化させることも可能である。ポリゴンにより構成される植物オブジェクトは、異なる色及び／又は異なる種類の植物ごとに、植物の植付け時からの経過時間に応じて複数のオブジェクトデータが予め記憶されている。ユーザにより表示の対象となる時期の変更が入力されると、各領域に配置された植物オブジェクトが、植物の色や種類ごとに、変更後の時期に相当する植物オブジェクトに差し替えられる。このような構成とすることで、花壇内の植物の成長する様子や変化する様子を確認することができるため、時期に応じては一部の花が咲いていて、一部の花は咲いていないなどのバランスの悪さを、事前に知ることも可能となる。
【００６９】
仮想３次元空間内のグラフィックデータとしては、ポリゴンにより構成されるオブジェクトとは異なり、写真データを用いることができる。写真データは、異なる色及び／又は異なる種類の植物ごとに、入力可能な花壇に対する方向や角度に対応した、複数の異なる方向又は角度から植物を視た写真データが予め記憶されている。この場合、花壇に対する方向や角度は段階的に変更することが可能となる。植物配置特定機能により、花壇を構成する複数の領域ごとに、異なる色及び／又は異なる種類の植物の配置が特定されると、各領域に、特定された植物についての写真データが、仮想カメラの視軸に垂直になるように配置される。
【００７０】
花壇に対する方向や角度の変更が入力されると、配置されていた写真データは、変更後の花壇に対する方向に応じた写真データに差し替えられる。差し替えられた写真データも、仮想カメラの視軸に垂直になるように配置される。このような構成とすることで、写真データを用いて配植された植物を２次元画像として表現できるため、花壇の様子をより現実に近い状態で表示することができる。
【００７１】
また、植物の植付け時からの経過時間に応じて、表示画面に表示される花壇の状態を変化させることも可能である。写真データは、異なる色及び／又は異なる種類の植物ごとに、植物の植付け時からの経過時間に応じて複数の写真データが予め記憶されている。ユーザにより表示の対象となる時期の変更が入力されると、各領域に配置された写真データが、植物の色や種類ごとに、変更後の時期に相当する写真データに差し替えられる。
【００７２】
また、より簡易的な方法としては、花壇を構成する複数の領域ごとに、異なる色及び／又は異なる種類の植物の配置が特定されると、各領域に配置された植物に応じた色や模様の立方体のオブジェクトを配置し、これらの立方体のオブジェクトを、仮想スクリーンで透視変換することで２次元画像を取得することができる。この場合、花壇に対する方向や角度の変更が入力されると、仮想カメラの焦点の位置は固定されたまま、仮想カメラの位置が変更され、花壇に対して、異なる方向や角度から視た画像を取得することができる。花壇に対する方向や角度は、連続的に変更できるようにしてもよく、不連続で段階的に変更できるようにしてもよい。このような構成とすることで、処理負荷を小さく抑えながら、花壇の状態を角度や方向を変えて表示することができる。
【００７３】
また、表示装置を備える植物表示システムであって、仮想空間の状態に関する情報を記憶する仮想空間記憶手段と、植物の状態に関する情報を記憶する植物情報記憶手段と、表示装置の位置及び／又は向きに応じて、表示装置に表示する仮想空間及び植物の画像を生成する画像生成手段と、生成した画像を表示装置に表示する画像表示手段とを備える、植物表示システムとすることができる。
【００７４】
上記構成により、ＶＲ（Ｖｉｒｔｕａｌ Ｒｅａｌｉｔｙ）の技術を利用して、植物の状態を表示することができるため、ユーザが花壇や植込みなどを実際に施工した際のイメージをより具体的に把握することができるようになる。
【００７５】
表示装置としては、公知のヘッドマウントディスプレイを用いることができる。ヘッドマウントディスプレイとは、頭部に装着できるディスプレイ全般を意味する。頭部に装着する態様は、特に限定されないが、例えば、帽子のように頭に被る方法、眼鏡のように顔に付ける方法、頭部の一部に付着させる方法、又は身体の一部から延長させて頭部を覆うようにする方法などが挙げられる。また、ヘッドマウントディスプレイに代えて、スマートフォンなどのユーザ端末を人の頭部に固定できる装着具を用いて、ユーザ端末をディスプレイの代わりにして、仮想空間を表示することもできる。
【００７６】
仮想空間記憶手段は、仮想空間の状態に関する情報を記憶することができる。仮想空間の状態に関する情報としては、花壇や植込みなどを設けることが一般に想定される場所に関連する複数の背景を、コンピュータ装置にあらかじめ記憶しておくことができる。
【００７７】
「仮想空間」とは、例えば、プログラム及びデータにより定義される空間であって、コンピュータにより生成される仮想的な空間をいう。ユーザは、複数の仮想空間の選択肢の中から、花壇や植込みなどを設けようとしている場所の雰囲気に近い背景を選択することができる。
【００７８】
選択できる仮想空間の種類は、特に限定されないが、例えば、公園、学校、家庭の庭、またはテーマパークなどが挙げられる。また、仮想空間として、ユーザが３６０°写真（全方位写真や全天球写真など）を撮影し、撮影された３６０°写真を仮想空間の背景として記憶させ、利用できるようにしてもよい。
【００７９】
コンピュータ装置としては、ヘッドマウントディスプレイなどの表示装置と通信により接続が可能であり、画像表示処理をするための演算と入出力が可能であるものであれば、公知のコンピュータ装置を用いることができる。
【００８０】
植物情報記憶手段は、植物の状態に関する情報を記憶することができる。植物の状態に関する情報とは、ユーザが設計した花壇や植込みなどに用いた植物など、配植計画を行って仮登録した花壇や植込みなどに用いた植物の種類や色に関する情報である。植物の状態に関する情報は、コンピュータ装置やユーザ端末の記憶装置に記憶させておくことができる。
【００８１】
画像生成手段は、表示装置の位置及び／又は向きに応じて、表示装置に表示する仮想空間及び植物の画像を生成することができる。ヘッドマウントディスプレイなどの表示装置の位置又は向きが変わるごとに、コンピュータ装置が仮想空間の画像と植物の画像を合成して新たな画像を生成し、生成した画像に関する情報がヘッドマウントディスプレイなどの表示装置に送信される。画像の生成方法は、特に限定されないが、上述のような透視変換の方法等を用いて画像を生成することができる。
【００８２】
画像表示手段は、生成した画像を表示装置に表示することができる。生成した画像を１フレームごとに連続的に表示することにより、ヘッドマウントディスプレイなどの表示装置の位置又は向きの変化に応じて、仮想空間及び植物の映像が連続的に表示される。
【００８３】
ＶＲの技術を用いて植物の画像を表示する処理を図１０に記載のフローチャートを用いて説明する。まず、表示装置において、表示装置の位置及び／又は向きを取得する（ステップＳ１１）。表示装置の位置及び／又は向きに関する情報を表示装置が送信し（ステップＳ１２）、コンピュータ装置が表示装置の位置及び／又は向きに関する情報を受信する（ステップＳ１３）。
【００８４】
コンピュータ装置は、表示装置の位置及び／又は向きに応じて、表示装置に表示する仮想空間及び植物の画像を生成し（ステップＳ１４）、生成した画像に関する情報を送信する（ステップＳ１５）。生成した画像に関する情報を表示装置が受信すると（ステップＳ１６）、表示装置が仮想空間及び植物の画像を表示する（ステップＳ１７）。
【００８５】
上記のように、表示装置の位置及び／又は向きを取得する処理から、仮想空間及び植物の画像を表示するまでの処理が連続的に実行されることにより、仮想空間及び植物の映像が連続的に表示されるようになる。
【００８６】
また、ユーザ端末と、ユーザ端末と通信が可能なサーバ装置とを備える植物表示システムであって、植物の状態に関する情報と当該情報と関連付けられたマーカに関する情報とを記憶する記憶手段と、マーカと背景とを撮像する撮像手段と、マーカを識別する識別手段と、識別したマーカから植物を特定する植物特定手段と、特定された植物の画像を生成する画像生成手段と、生成した画像を撮像した背景とともに表示する画像表示手段とを備える、植物表示システムとすることができる。
【００８７】
上記構成により、ＡＲ（Ａｕｇｍｅｎｔｅｄ Ｒｅａｌｉｔｙ）の技術を利用して、植物の状態を表示することができるため、ユーザが花壇や植込みなどを実際に施工した際のイメージをより具体的に把握することができるようになる。
【００８８】
記憶手段は、植物の状態に関する情報と当該情報と関連付けられたマーカに関する情報とを記憶する。植物の状態に関する情報とは、ユーザが設計した花壇や植込みなどに用いた植物など、配植計画を行って仮登録した花壇や植込みなどに用いた植物の種類や色に関する情報である。上記情報は、サーバ装置やユーザ端末の記憶装置に記憶させて使用することができる。
【００８９】
植物のＡＲ画像のマーカには、二次元バーコードなどを用いることができる。マーカは、マーカの生成要求を受信するたびに生成してもよいし、配植計画を行って花壇や植込みの情報を仮登録した際にあらかじめ生成しておいてもよい。マーカに関する情報は、サーバ装置の記憶装置に記憶しておくことができる。
【００９０】
撮像手段は、マーカと背景とを撮像する。設計した花壇や植込みなどの情報をもとに生成されたマーカを、花壇や植込みなどを施工したい場所にユーザが設置して、植物を設置する背景をユーザ端末のカメラ機能によって撮像する。植物のマーカは、マーカ出力装置によって出力したものを用いることができる。
【００９１】
マーカ出力装置の種類は、マーカ情報の受信が可能であって、マーカの出力が可能な装置であれば、特に限定されない。マーカ出力装置としては、例えば、ノートパソコン、デスクトップパソコン、プリンター、またはタブレット端末などが挙げられる。
【００９２】
マーカ出力装置としてノートパソコンやデスクトップパソコンなどを用いる場合、マーカの出力は、ノートパソコンやデスクトップパソコンに対する所定の出力操作により、プリンターなどから紙媒体にマーカを印刷して出力する態様とすることができる。また、プリンターとユーザ端末とを通信により直接接続させ、プリンターからマーカを直接印刷する態様としてもよい。
【００９３】
マーカ出力装置としてタブレット端末などを用いる場合、マーカの出力は、タブレット端末の表示画面にマーカを表示することにより行うことができる。また、タブレット端末に対する所定の出力操作により、プリンターなどから紙媒体にマーカを印刷して出力する態様とすることができる。
【００９４】
識別手段は、マーカを識別する。マーカは、マーカの全面を正面から適切な焦点距離において撮像することにより、識別できるようになる。マーカが識別できた場合は、ユーザ端末によってマーカ情報が取得され、植物を特定する処理に移行する。マーカが識別できなかった場合は、ユーザ端末による撮像が継続される。マーカが識別できない場合とは、例えば、マーカを斜め方向から撮像していたり、マーカの一部が撮像されていなかったり、撮像の焦点がマーカに合っていなかったりする場合などが挙げられる。
【００９５】
植物特定手段は、識別したマーカから植物を特定する。植物の特定は、マーカに含まれるＵＲＬ等の情報から、植物のデータの所在を特定することによって行うことができる。植物のデータは、サーバ装置の記憶装置に記憶させておくことができる。
【００９６】
画像生成手段は、特定された植物の画像を生成する。植物の画像は、ユーザ端末の位置及び／又は向きに応じて生成される。すなわち、ユーザ端末が動かされるたびに、その位置及び／又は向きに応じた画像が生成される。画像の生成方法は、特に限定されないが、上述のような透視変換の方法等を用いて画像を生成することができる。
【００９７】
画像表示手段は、生成した画像を撮像した背景とともに表示する。生成された植物の画像は、撮像された背景と合成されて、ユーザ端末に表示される。このような表示態様とすることで、ユーザ端末の表示画面に、植物のＡＲ画像と現実空間の背景映像とが重ねて表示されるようになる。
【００９８】
ＡＲの技術を用いて植物の画像を表示するためにマーカを生成する処理を、図１１に記載のフローチャートを用いて説明する。まず、タップ等の所定の操作をユーザが行うことにより、ユーザ端末がマーカの生成要求の入力を受け付ける（ステップＳ２１）。ユーザ端末が、マーカの生成要求を送信すると（ステップＳ２２）、サーバ装置が、マーカの生成要求を受信する（ステップＳ２３）。
【００９９】
サーバ装置の制御部が、マーカを生成した後（ステップＳ２４）、サーバ装置が、マーカ情報を送信し（ステップＳ２５）、マーカ出力装置が、マーカ情報を受信する（ステップＳ２６）。マーカ出力装置が、マーカの出力要求の入力を受け付けると、マーカ出力装置が、マーカを出力して（ステップＳ２８）、マーカ出力処理は終了する。
【０１００】
ＡＲの技術を用いて植物の画像を表示する処理を、図１２に記載のフローチャートを用いて説明する。まず、ユーザ端末のカメラ機能によって、マーカと背景が撮像される（ステップＳ３１）。
【０１０１】
その際、ユーザ端末によって、マーカが識別できた場合は（ステップＳ３２にてＹＥＳ）、ユーザ端末によってマーカ情報が取得される（ステップＳ３３）。ユーザ端末によって、マーカが識別できなかった場合は（ステップＳ３２にてＮＯ）、ユーザ端末による撮像が継続される（ステップＳ３１）。
【０１０２】
ユーザ端末によってマーカ情報が取得されると（ステップＳ３３）、ユーザ端末はマーカ情報を送信する（ステップＳ３４）。サーバ装置がマーカ情報を受信すると（ステップＳ３５）、マーカ情報と関連付けられた植物情報が特定される（ステップＳ３６）。植物情報を特定して植物情報を取得した後（ステップＳ３７）、サーバ装置は植物情報を送信する（ステップＳ３８）。
【０１０３】
ユーザ端末が植物情報を受信すると（ステップＳ３９）、ユーザ端末にて植物の画像が生成される（ステップＳ４０）。植物の画像が生成された後、植物の画像と撮像された背景を合成する（ステップＳ４１）。合成された植物画像と撮像背景は、ユーザ端末に表示される（ステップＳ４２）。
【０１０４】
上記のように、撮像する処理から植物画像と撮像背景を表示するまでの処理が、連続的に実行されることにより、ユーザ端末の位置又は向きの変化に応じて、撮像背景及び植物の映像が連続的に表示されるようになる。
【０１０５】
なお、マーカを生成しないマーカレスＡＲの仕組みを用いてもよい。マーカレスＡＲの仕組みを用いる場合、花壇や植込みの囲いなどをマーカとして認識して植物を設置する場所をユーザ端末の制御部に特定させ、特定させた場所を撮像している表示画面に、仮登録等をした植物のコンピュータグラフィックスを表示させることができる。
【０１０６】
また、設計した花壇や植込みなどを２次元画像に変換して、植物の２次元画像の表示位置を固定した状態で植物の２次元画像をユーザ端末の表示画面に表示させ、植物の２次元画像とユーザ端末のカメラで撮像した現実空間の背景画像とを重ねて表示する態様のＡＲ画像としてもよい。上記態様の場合、ユーザは、ユーザ端末の向きや位置を変える等の動作によって、ユーザ端末のカメラで撮像した現実空間の背景画像を変化させながら、植物の２次元画像を施工予定の場所に重ね合わせることで、花壇や植込みなどを施工した場合の全体像のイメージを掴むことができる。
【０１０７】
花壇状態画像送信機能は、花壇状態描画機能により描画された花壇の状態を示す画像に関する情報を、通信インタフェース１６を介してユーザ端末１に送信する機能を有する。
【０１０８】
変更指示受信機能は、ユーザによって入力された視点変更指示及び／又は時期変更指示に関する情報を、通信インタフェース１６を介してユーザ端末１から受信する機能を有する。視点変更指示及び／又は時期変更指示を受信すると、花壇状態描画機能によって、受信した変更指示に応じた画像が描画され、花壇状態画像送信機能により、通信インタフェース１６を介してユーザ端末１に送信される。
【０１０９】
種苗数算出機能は、ユーザの配植計画に基づいて花壇を作製した場合に必要となる植物の種及び／又は苗の数に関する情報を算出する機能を有する。なお、種苗数算出機能は、さらに、花壇を構成する各領域内における植物を植える間隔、及び見積金額を算出する機能を有していても良い。
【０１１０】
種苗数送信機能は、種苗数算出機能により算出された、ユーザの配植計画に基づいて花壇を作製する場合に必要となる植物の種及び／又は苗の数に関する情報を、通信インタフェース１６を介してユーザ端末１に送信する機能を有する。なお、種苗数送信機能は、さらに、花壇を構成する各領域内における植物を植える間隔、及び見積金額に関する情報を、通信インタフェース１６を介してユーザ端末１に送信する機能を有していても良い。
【０１１１】
発注要求受信機能は、ユーザの配植計画に基づいて花壇を作製する際に必要となる植物の種及び／又は苗に関する発注要求に関する情報を、通信インタフェース１６を介してユーザ端末１から受信し、記憶装置３３に記憶する機能を有する。受注確定機能は、発注要求受信機能により受信した発注要求に関する情報を、受注情報として確定する機能を有する。
【０１１２】
続いて、本発明の実施の形態の前提について説明する。本発明の実施の形態の一例として、例えば、スマートフォンにインストールされるアプリケーションが挙げられる。ユーザ端末１においてアプリケーションを起動すると、起動に関する情報として、例えば、ユーザ端末１に付与された識別情報等を取得する。さらに、ユーザを識別するために、サーバ装置３と通信し、予め付与されたユーザのアカウントを用いてログインする構成としてもよいし、起動時に取得したユーザ端末１の識別情報をサーバ装置３へ送信してもよい。ユーザ端末１の識別情報またはログインする際のユーザのアカウントは、ユーザを識別する一意のデータであり、ユーザＩＤとしてサーバ装置３に記憶される。
【０１１３】
ユーザの個人情報は、ユーザＩＤに関連付けてサーバ装置３に記憶される。記憶される個人情報の項目としては、例えば、「氏名」、「性別」、「生年月日」、「住所」、「電話番号」、「メールアドレス」、「パスワード」、「支払い方法」、「クレジットカード番号」、「利用履歴」などが挙げられる。ユーザの氏名等は、アプリケーションの初回利用時にユーザによって入力される情報が記憶される。
【０１１４】
図４は、本発明の実施の形態の少なくとも１つに対応する、植物データテーブルの一例を示す図である。植物データテーブル４１には、植物４２と関連付けて色４３が記憶されている。例えば、植物４２が「アジサイ」である場合は、色４３として「青」、「紫」、「赤」、「ピンク」、「白」など複数の色が関連付けて記憶されている。さらに、植物データテーブル４１には、植物４２と色４３と関連付けて、それぞれの植物の植付けに適した植付け時期４４、鑑賞に適した鑑賞時期４５、及び、写真データ４６が記憶されている。
【０１１５】
写真データ４６には、入力可能な花壇に対する方向や角度に対応した、複数の異なる方向又は角度から植物を視たデータが予め記憶されており、さらには、これらの方向や角度ごとに、植物の植付け時からの経過時間に応じて複数のデータが予め記憶されている。なお、ここでは、写真データ４６が記憶されることとしたが、ポリゴンにより定義されるオブジェクトデータであってもよい。オブジェクトデータは、植物の植付け時からの経過時間に応じて複数のデータが予め記憶されている。
【０１１６】
続いて、本発明の実施の形態の少なくとも１つに対応する、配植計画支援処理について説明する。図５は、本発明の実施の形態の少なくとも１つに対応する、配植計画支援処理のフローチャートの一例を示す図である。
【０１１７】
花壇受発注処理を開始すると、まず、ユーザが希望する花壇の形状及び面積に関する情報を入力するための入力画面が表示画面１３ａに表示され、入力画面をタップする等の操作によって、花壇の形状及び面積が決定される（ステップＳ１）。
【０１１８】
図６は、花壇の形状及び面積に関する情報を入力するための入力画面の一例を示す模式図である。表示画面１３ａには、複数の正方形のマス目６１から構成される花壇形状入力領域６２、マス目６１の一辺の長さに対応する実際の長さを入力する長さ入力領域６３、並びに、花壇形状入力領域６２及び長さ入力領域６３に入力された情報を確定させる決定ボタン６４が表示される。
【０１１９】
ユーザは、表示画面１３ａに表示されたマス目６１をタップすることで、花壇の形状の入力を行う。ユーザにタップされたマス目６１は、花壇の形状を構成する領域としてユーザに選択されたマス目であり、異なる色で表示されるようになる。このように選択されたマス目を他のマス目とは異なる色で表示することで、現在、ユーザの選択によって形成されている花壇の形状がどのような形状であるかを、明確にすることができる。図６において、マス目６１ａ〜ｆは、その他のマス目６１とは異なる色で表示されており、マス目６１ａ〜ｆによって形成される形状が、花壇の形状となる。なお、ユーザに選択されたマス目であることを示す態様は、選択されたマス目によって形成される形状の外枠を太線や色付きの線で表示したり、選択されたマス目に斜線などのパターンを付したりする態様によって行っても良い。
【０１２０】
ユーザが、表示画面１３ａに表示された長さ入力領域６３をタップすると、マス目６１の一辺の長さに対応する実際の長さとして選択可能な長さがプルダウンで表示される。ユーザはプルダウンで表示された選択可能な長さの中から、希望する長さを選択することで、花壇の面積を決定する。なお、選択可能な長さは、直接数値を入力することによって行っても良い。ユーザは、決定ボタン６４をタップすることで、花壇の形状及び面積を決定する。
【０１２１】
ステップＳ１において花壇の形状及び面積が決定されると、次に、花壇の形状を構成する各領域の色を入力するための入力画面が表示画面１３ａに表示され、入力画面をタップする等の操作によって、花壇の形状を構成する各領域の色が決定される（ステップＳ２）。
【０１２２】
図７は、花壇の形状を構成する各領域の色を入力するための入力画面の一例を示す模式図である。表示画面１３ａには、花壇の形状を構成する複数の正方形のマス目７１、色選択開始ボタン７２、カラーパレット７３、及び入力された色情報を確定させる決定ボタン７４が表示される。ユーザは、表示画面１３ａに花壇の形状を構成する領域として表示されたマス目７１をタップすることで、色の入力を行うマス目７１を選択する。色の入力を行うマス目７１は、同時に複数のマス目を選択することができる。
【０１２３】
次に、色選択開始ボタン７２をタップすると、複数の色から構成されたカラーパレット７３がポップアップ表示される。ユーザは、カラーパレット７３に含まれる色の中から希望する色を選択することで、選択されたマス目７１に対する色の入力を行う。なお、色選択開始ボタン７２を設けずに、最初からカラーパレット７３を表示画面１３ａに表示していても良い。また、色の入力を行うマス目７１を選択した際に、カラーパレット７３がポップアップ表示されるように構成しても良い。全てのマス目７１について色の入力が完了した状態で決定ボタン７４をタップすると、色の入力が完了する。
【０１２４】
図７において、マス目７１ａ〜ｃは、既に色の入力がされたマス目であり、マス目７１ａ〜ｃには入力された色が表示されている。マス目７１ｄ及びｅは、現在、ユーザが色の入力を行うマス目として選択しているマス目である。マス目７１ｄ及びｅは、ハイライト表示されたり、外枠を太線や色付きの線で表示されたり、斜線などのパターンを付されたりする等の態様により、ユーザに選択されているマス目であることが明確に示される。カラーパレット７３に含まれる色の中から、ユーザが希望する色を選択することで、マス目７１ｄ及びｅの色が入力される。マス目７１ｆは、色の入力がされておらず、色の入力を行うマス目としても選択されていないマス目である。
【０１２５】
ステップＳ２において花壇を構成する各領域の色が決定されると、次に、各領域に配植する植物の種類を入力するための入力画面が表示画面１３ａに表示され、入力画面をタップする等の操作によって、花壇の形状を構成する各領域に植える植物の種類が決定される（ステップＳ３）。
【０１２６】
ステップＳ３において、植物の種類をユーザが選択する際には、ステップＳ２で決定された色に応じて、選択できる植物の種類を予め限定しておくことができる。例えば、ステップＳ２で決定された色が「青」である場合は、植物データテーブル４１を参照して、ステップＳ２で決定された色と同じ色が、色４３に登録されている植物４２だけを選択できるようにしてもよい。このような構成とすることで、ユーザが希望する植物の種類と色が存在せずに、何度も入力をやりなおすといったようなことがなくなり、ユーザにとっての利便性を高めることができる。
【０１２７】
さらには、ステップＳ３において、植物の種類をユーザが選択する際には、植物の植付け時期や鑑賞時期に応じて、選択できる植物の種類を予め限定しておくことができる。この場合、ユーザが植物の色や種類を選択する前に、ユーザからの植物の植付け時期や鑑賞時期の入力を受け付けておくことが好ましい。例えば、ユーザから鑑賞時期として「４月」との入力を受け付けた場合は、植物データテーブル４１を参照して、ユーザが入力した鑑賞時期と同月の「４月」が鑑賞時期４５として登録されている植物４２だけを選択できるようにしてもよい。
【０１２８】
図８は、花壇の形状を構成する各領域に配植する植物の種類を入力するための入力画面の一例を示す模式図である。表示画面１３ａには、選択対象となっている色を表示する選択対象色表示欄８１、植物画像表示欄８２、植物情報表示欄８３、及び決定ボタン８４が表示される。
【０１２９】
図８では、選択対象色表示欄８１に、「黄色の花を選択してください」というコメントが表示されており、現在、ユーザが選択しようとしている植物が、黄色を有する植物であることを示している。選択対象色表示欄８１において選択を指示される色は、ステップＳ２でユーザが選択した色のうちの一つである。
【０１３０】
植物画像表示欄８２には、選択対象色表示欄８１において選択を指示される色の花または葉を有する植物の画像が表示される。植物情報表示欄８３には、植物画像表示欄８２に表示されている画像に対応する植物の情報が表示される。図８において植物画像表示欄８２に表示されている植物の情報は、植物の名称、種まき時期、開花時期、高さ、生育に必要な面積、花と葉の比率であるが、その他にも、耐陰性、育成難易度、価格などを表示しても良い。また、同時に複数種類の植物の画像及び／又は植物の情報を表示するように構成しても良い。
【０１３１】
ユーザは、表示画面１３ａ上をスワイプする等の操作によって、希望する植物を選択し、決定ボタン８４をタップする等の操作によって、植物の種類を決定する。ステップＳ２においてユーザが選択した色が複数ある場合、それぞれの色について、上記の選択が行われる。
【０１３２】
上記では、花壇を構成する全ての領域の色を選択した後に、選択した色に対応する植物の種類を選択する態様を説明したが、花壇を構成する少なくとも１つの領域に対する色を選択し、そのすぐ後に、その色に対応する植物の種類を選択するように構成しても良い。例えば、ステップＳ２及びステップＳ３を、花壇を構成する領域毎に完了させていくように構成しても良い。このように構成することで、同じ色を選択する領域であっても、異なる種類の植物を配植することが可能になり、多様性のある花壇を作製することができる。
【０１３３】
ステップＳ１からＳ３までの処理により、構成する複数の領域ごとに、植物の色・種類が特定されると、配植計画に基づいた花壇を作製するための料金が算定される（ステップＳ４）。例えば、植物ごと或いは植物の色ごとに単位面積又は一領域あたりの料金が定められており、配植計画において選択された植物をもとに、花壇の作製に必要な合計料金が算定される。算定された料金は、表示画面１３ａに表示される（ステップＳ５）。
【０１３４】
花壇を構成する複数の領域ごとに、異なる色及び／又は異なる種類の植物の配置が特定されると、花壇の状態を示す画像が描画され、表示画面１３ａに表示される（ステップＳ６）。花壇の状態を示す画像を描画する際には、植物データテーブル４１を参照して、花壇を構成する領域ごとに、特定された植物に対応する写真データ４６が抽出され、花壇に対する方向や角度に応じた写真データが配置される。これらの写真データが配置された仮想空間を、花壇の中心を仮想カメラの焦点として、透視変換することで、花壇の状態を示す画像が生成される。
【０１３５】
ユーザが、視点変更指示及び／又は時期変更指示を行なった場合（ステップＳ７にてＹＥＳ）、ユーザの変更指示に基づいて、花壇の状態を示す画像が描画され、表示画面１３ａに表示される（ステップＳ６）。花壇に対する方向や角度の変更が入力されると、植物データテーブル４１を参照して、配置されていた写真データから、変更後の花壇に対する方向に応じた写真データに差し替えられ、再度、画像が生成される。また、ユーザにより表示の対象となる時期の変更が入力されると、植物データテーブル４１を参照して、各領域に配置された写真データから、変更後の時期に相当する写真データに差し替えられ、再度、画像が描画される。
【０１３６】
図９は、視点変更指示及び／又は時期変更指示を入力するための入力画面の一例を示す模式図である。表示画面１３ａには、画像表示領域９１、時期メータ９２、視点変更ボタン９３、画像保存ボタン９４が表示される。
【０１３７】
画像表示領域９１には、ステップＳ６において描画された花壇の状態を示す画像が表示される。時期メータ９２は、画像表示領域９１に表示された画像の時期の変更を指示するためのメータであり、１年間がバー表示にて表示されている。ユーザは、時期メータ９２上をスワイプする等の操作によって、植物の植付け時からの経過時間に応じて、表示画面１３ａに表示される花壇の状態を変化させることができる。
【０１３８】
視点変更ボタン９３は、花壇の状態を示す画像を描画する視点の変更を指示するためのボタンである。ユーザは、視点変更ボタン９３をタップする等の操作によって、花壇に対して異なる方向や角度から視た画像を取得することができる。例えば、視点変更ボタン９３ａがタップされると、画像表示領域９１に表示されている花壇の状態を示す画像の視点と花壇の中心を結んだ直線に対して、視点を左方向に所定の距離だけ移動させた画像が表示される。また、視点変更ボタン９３ｄがタップされると、画像表示領域９１に表示されている花壇の状態を示す画像の視点と花壇の中心点を結んだ直線に対して、視点を右方向に所定の距離だけ移動させた画像が表示される。また、視点変更ボタン９３ｂ又はｃがタップされると、画像表示領域９１に表示されている花壇の状態を示す画像の視点を、高さ方向に所定の距離だけ上昇又は下降させた視点から花壇の中心を視た画像が表示される。
【０１３９】
なお、図９では、花壇に対する方向や角度を不連続で段階的に変更する場合を示したが、視点変更指示の、花壇に対する方向や角度を連続的に変更できるようにするものでも良い。花壇に対する方向や角度の連続的な変更は、例えば、画像表示領域９１をスワイプする等の操作によって行われる。この場合、スワイプする方向及び長さに応じて、花壇に対する視点が変更される。
【０１４０】
画像保存ボタン９４は、画像表示領域９１に表示されている花壇の状態を示す画像及び／又は表示されている花壇の状態を示す画像に対応するユーザの配植計画を、ユーザ端末１及び／又はサーバ装置３に保存するための画像である。保存された画像等は、通信ネットワーク２を介して、他のユーザと共有することができる。共有された花壇の状態を示す画像等は、ユーザ間で自由に閲覧ができるようになる。ユーザは、共有された画像や配植計画に基づいて、又は編集して、配植計画を行うことも可能である。
【０１４１】
ステップＳ６において表示画面１３ａに表示される花壇の状態を表す画像に対してユーザが納得した場合は、視点変更指示及び／又は時期変更指示を行なわず（ステップＳ７にてＮＯ）、ユーザ端末１を操作指示することで、配植計画を行った花壇をいわゆる「ショッピングカート」に入れるなど、仮登録をすることができる（ステップＳ８）。ユーザは、引き続き、別の花壇について配植計画を行うことができる。ステップＳ１からＳ８までの処理を繰り返し行うことで、複数の花壇の配植計画を行い、これらの花壇をショッピングカートに入れておくことができ、まとめて購入のための手続きを行うことができる。
【０１４２】
ステップＳ１からＳ６までの処理により配植計画を行うことで、形状が特定され、各領域の色・花の種類が選択された花壇について、サーバ装置３に記憶しておき、花壇受発注システムからログアウトした後に、再度、ログインし、この花壇について発注を行うこともできる。「ショッピングカート」に入れられることで仮登録された花壇についても、同様に、サーバ装置３に記憶しておくことができる。これらの配植計画が行われた花壇は、ユーザ端末１の識別情報と関連付けて、花壇の内容が記憶される。
【０１４３】
ステップＳ８において、配植計画を行った花壇について仮登録を行うと、ユーザ端末の表示画面１３ａには、発注を確定させるための発注ボタンが表示される。また、表示画面１３ａには、ショッピングカートに入れられた花壇を発注した場合の費用も表示される。費用については、ショッピングカートに入れられた花壇の個別の費用と、ショッピングカートに入れられた複数の花壇の合計の費用が表示される。ユーザは、花壇を発注した場合の合計の費用を確認したうえで、ショッピングカートに入れられた花壇の一部をショッピングカートから削除したり、或いは、ショッピングカートに入れられた花壇の一部の配植計画を再度、行うことができる。ショッピングカートに入れられた花壇の一部の配植計画の見直しを行う場合は、見直し対象の花壇について、ステップＳ１からＳ８までの処理を再度、行う。
【０１４４】
ユーザの操作指示により、発注ボタンがタップされると、サーバ装置３に発注要求が送信される（ステップＳ９）。この場合、ショッピングカートに入れられて仮登録された全ての花壇が、発注要求の対象となる。ユーザは、ユーザが行った配植計画に基づいて花壇の宅配及び作製を発注することができるが、花壇を作製する際に必要となる植物の種、苗などを発注することもできる。花壇の宅配及び作製を発注するか、或いは、植物の種、苗などの宅配のみを発注するかについて、ユーザが選択できるようにしてもよい。
【０１４５】
ステップＳ９において、ユーザの発注要求がサーバ装置３に送信されると、サーバ装置３にて発注内容が受信され、発注の内容が、サーバ装置３の記憶装置３３に記憶されて、受注が確定される（ステップＳ１０）。本発明の受発注システムの運営者は、発注された内容にしたがって、受注をした植物の種や苗を準備し、或いは、花壇を作製し、予め登録されたユーザ住所に配送を行う。
【０１４６】
上述した態様では、ユーザ端末とサーバ装置とを備えるシステムによる実施形態を示したが、本発明は、ユーザ端末のみを用いる実施形態も可能である。ユーザ端末のみを用いる実施形態においては、上述の態様でサーバ装置が担っていた機能は、ユーザ端末によって果たされる。
【符号の説明】
【０１４７】
１      ユーザ端末
１１    制御部
１２    ＲＡＭ
１３    表示部
１４    記憶装置
１５    センサ部
１６    通信インタフェース
２      通信ネットワーク
３      管理サーバ装置
３１    制御部
３２    ＲＡＭ
３３    記憶装置
３４    通信インタフェース
【図１】
2018008182.tif 000003
【図２】
2018008182.tif 000004
【図３】
2018008182.tif 000005
【図４】
2018008182.tif 000006
【図５】
2018008182.tif 000007
【図６】
2018008182.tif 000008
【図７】
2018008182.tif 000009
【図８】
2018008182.tif 000010
【図９】
2018008182.tif 000011
【図１０】
2018008182.tif 000012
【図１１】
2018008182.tif 000013
【図１２】
2018008182.tif 000014
【国際調査報告】
2018008182.tif 000015
2018008182.tif 000016
2018008182.tif 000017
2018008182.tif 000018